(57)【要約】      （修正有）【課題】歩行練習する場合に装着するリハビリ用装着帯を提供する。【解決手段】オシメ生地部分の上辺に右後ろ帯ＵＰＭと左後ろ帯ＵＰＨとがつながり、オシメ生地下辺には右前帯ＭＥＭと左前帯ＭＥＨとがつながり、その中程に腹巻生地部分Ａを縫い留めし、全体をハイテク繊維ミシン糸で縫い、腹巻生地部分を車椅子の人の背後から嵌め被せて前側でボタン留めし、オシメ生地部分Ｂを被介護者の股下に挟み入れ、前方に出して車椅子を機内に配置し、その中心上に位置する右外輪溝付きベアリングと左外輪溝付きベアリングとに吊り下がる右紐と左紐とに右フックと左フックとを取付けし、右フックに右後ろ帯の端部の穴Ｑと右前帯の端部の穴とを掛け止めし、左フックには左後ろ帯の端部と左前帯の端部の穴とを掛け止めし、被介護者の補助力と同じ重さのショット玉を大布袋に入れる事で大布袋と天秤状態の被介護者は大布袋の重さの力で股下を吊り上げられる力と自身の脚力で立ち、オシメ生地部分にまたいで座る状態になる。【選択図】図１
0003222694.tif 000002
【実用新案登録請求の範囲】
【請求項１】
リハビリ用装着帯の上下に長いオシメ生地部分の上辺に右後ろ帯と左後ろ帯とがつながり、そのオシメ生地部分の下辺には右前帯と左前帯とがつながり、さらにオシメ生地部分の中程に腹巻生地部分を縫い留めし、それらリハビリ用装着帯の全体をハイテク繊維ミシン糸で縫い走らせ、その腹巻生地部分を車椅子の人の背後から嵌め被せて前側でボタン留めし、さらにオシメ生地部分を被介護者の股下に挟み入れるようにして前方に出して車椅子をリハビリ足踏み機内に配置し、そのリハビリ足踏み機の中心上に位置する右外輪溝付きベアリングと左外輪溝付きベアリングとに吊り下がる右紐と左紐とに右フックと左フックとを取り付けし、その右フックに右後ろ帯の端部の穴と右前帯の端部の穴とを掛け止めし、左フックには左後ろ帯の端部の穴と左前帯の端部の穴とを掛け止めし、その状態で被介護者の介護補助力と同じ重さのショット玉を大布袋に入れる事で大布袋と天秤状態の被介護者は大布袋の重さの力で股下を吊り上げられる力と自身の脚力とで立ち、その状態はオシメ生地部分にまたいで座るようにして立った状態になるのでいつも座り慣れている被介護者は長時間の歩行練習でのオシメ生地部分の圧拍に耐える事ができる。
【考案の詳細な説明】
【技術分野】
【０００１】
本考案は、リハビリ足踏み機で歩行練習する場合に車椅子の人が装着するリハビリ用装着帯の分野
【背景技術】
【０００２】
すでに出願された装着帯では足踏みのリハビリを長時間していると車椅子の人が個々それぞれに保有する介護補助力の重さの力が脇の下を長時間締め付けることになる。
【考案の概要】
【考案が解決しようとする課題】
【０００３】
未来社会でリハビリ病院に設置されるリハビリ足踏み機で車椅子の人が足踏みをする場合、そのリハビリ足踏み機から吊り下がる装着帯を車椅子の人に装着し、車椅子の人が保有する介護補助力の重さの力でリハビリ足踏み機の上端から車椅子の人を吊り下げし、その吊り下げる被介護者それぞれの介護補助力の力が車椅子の人の脇の下を締め付けた状態で息苦しく長時間の歩行練習が苦痛になる。
【課題を解決するための手段】
【０００４】
上記目的を達成するために、リハビリ用装着帯の上下に長いオシメ生地部分の上辺に右後ろ帯と左後ろ帯とがつながり、そのオシメ生地部分の下辺には右前帯と左前帯とがつながり、そのオシメ生地部分の中程に腹巻生地部分を縫い留めし、それらリハビリ用装着帯の全体にハイテク繊維ミシン糸を縫い走らせ、その腹巻生地部分を車椅子の人の背後から嵌め被せて前側でボタン留めし、さらにオシメ生地部分を背後から股下に挟み入れるようにしてリハビリ足踏み機内に車椅子を配置した。
【０００５】
リハビリ足踏み機の中心上に位置する右外輪溝付きベアリングと左外輪溝付きベアリングとに吊り下がる右紐と左紐との下端に右フックと左フックとを取り付けし、その右フックに右後ろ帯の端部の穴を掛け止めし左フックに左後ろ帯の端部の穴を掛け止めし、さらに右フックに右前帯の端部の穴を掛け止めし左フックに左前帯の端部の穴を掛け止めした。
【０００６】
上記の状態で車椅子の人の介護補助力と同じ重さのショツト玉をリハビリ足踏み機の大布袋に入れる事で大布袋と天秤状態の車椅子の人は大布袋の重さの力で股下を吊り上げられる力と自身の脚力とで立ち、それはリハビリ用装着帯のオシメ生地部分にまたいで座るようにして立った状態になるのでいつも座りなれている被介護者は長時間の歩行練習によるお尻への圧拍に耐える事ができる。
【考案の効果】
【０００７】
介護補助力の力で吊り下がる体が装着帯によって圧拍を受ける箇所を脇の下からお尻に変更する事で長時間の圧拍に耐えやすくした。
【図面の簡単な説明】
【０００８】
【図１】図1はリハビリ用装着帯の全体図と腹巻生地部分を削除したリハビリ用装着帯との斜視図
【図２】図2は右後ろ帯と左後ろ帯とを上げた状態の正面図
【図３】図3はリハビリ用装着帯のオシメ部分を被介護者の股下に挟み入れて右前帯と左前帯とを上に上げた状態の正面図
【図４】図4は右フックに右後ろ帯と右前帯とを掛け止めし、左フックに左後ろ帯と左前帯とを掛け止めた状態の正面図
【図５】図5はリハビリ足踏み機の斜視図
【考案を実施するための形態】
【０００９】
本考案の一実施形態を説明する、リハビリ用装着帯の上下に長いオシメ生地部分Bの上辺に右後ろ帯UPMと左後ろ帯UPHとがつながり、そのオシメ生地部分Bの下辺には右前帯MEMと左前帯MEHとがつながり、そのオシメ生地部分Bの中程に腹巻生地部分Aを縫い留めし、それらリハビリ用装着帯の全体にハイテク繊維ミシン糸を縫い走らせ、その腹巻生地部分Aを車椅子の人の背後から嵌め被せて前側でボタンR留めし、そしてオシメ生地部分Bを車椅子の人の股下に挟みいれて車椅子をリハビリ足踏み機内に配置した。
【００１０】
リハビリ足踏み機の中心上に位置する右外輪溝付きベアリングSMと左外輪溝付きベアリングSHとに吊り下げる右紐TMと左紐THとの下端に右フックFMと左フックFHとを取り付けし、その右フックFMに右後ろ帯UPMの端部の穴Qを掛け止めし、左フックFHには左後ろ帯UPHの端部の穴Qを掛け止めし、そこでオシメ生地部分Bの下辺につながる右前帯MEMの端部の穴Qを右フックFMに掛け止めし左前帯MEHの端部の穴Qを左フックFHに掛け止めした。
【００１１】
上記の状態で車椅子に座る被介護者の介護補助力と同じ重さのショット玉をリハビリ足踏み機の大布袋Gに入れる事で大布袋Gと天秤状態の被介護者は大布袋Gの重さの力で股下を吊り上げられる力と自身の脚力とで立ち、その状態はリハビリ用装着帯のオシメ生地部分Bにまたいで座るようにして立った状態になるのでいつも座りなれている被介護者は長時間の歩行練習でのオシメ生地部分Bの圧拍に耐える事ができる。
【産業上の利用可能性】
【００１２】
未来社会の病院に設置されるリハビリ足踏み機で車椅子の人の介護補助力を測定する事で立ち上がる脚力を測定し足を上げる筋力を推定し、歩けるようになる為に歩行練習をする場合に病院にきた被介護者が着衣を着た状態で装着し長時間の歩行練習での圧拍で疲れないようにした。
【符号の説明】
【００１３】
A      腹巻生地部分
R      ボタン
B      オシメ生地部分
UPM    右後ろ帯
UPH    左後ろ帯
MEM    右前帯
MEH    左前帯
Q        穴
FM      右フック
FH      左フック
TM      右紐
TH      左紐
SM      右外輪溝付きベアリング
SH      左外輪溝付きベアリング
【図１】
0003222694.tif 000003
【図２】
0003222694.tif 000004
【図３】
0003222694.tif 000005
【図４】
0003222694.tif 000006
【図５】
0003222694.tif 000007
【手続補正書】
【提出日】令和1年6月12日(2019.6.12)
【手続補正１】
【補正対象書類名】実用新案登録請求の範囲
【補正対象項目名】全文
【補正方法】変更
【補正の内容】
【実用新案登録請求の範囲】
【請求項１】
リハビリ用装着帯の上下に長いオシメ生地部分の上辺に右後ろ帯と左後ろ帯とがつながり、そのオシメ生地部分の下辺には右前帯と左前帯とがつながり、さらにオシメ生地部分の中程に腹巻生地部分を縫い留めし、それらリハビリ用装着帯の全体をハイテク繊維ミシン糸で縫い走らせ、その腹巻生地部分を車椅子の人の背後から嵌め被せて前側でボタン留めし、さらにオシメ生地部分を被介護者の股下に挟み入れるようにして前方に出して車椅子をリハビリ足踏み機内に配置し、そのリハビリ足踏み機の中心上に位置する右外輪溝付きベアリングと左外輪溝付きベアリングとに吊り下がる右紐と左紐とに右フックと左フックとを取り付けし、その右フックに右後ろ帯の端部の穴と右前帯の端部の穴とを掛け止めし、左フックには左後ろ帯の端部の穴と左前帯の端部の穴とを掛け止めし、その状態で被介護者の介護補助力と同じ重さのショット玉を大布袋に入れる事で大布袋と天秤状態の被介護者は大布袋の重さの力で股下を吊り上げられる力と自身の脚力とで立ち、その状態はオシメ生地部分にまたいで座るようにして立った状態になるのでいつも座り慣れている被介護者は長時間の歩行練習でのオシメ生地部分の圧拍に耐える事ができることを特徴とするリハビリ用装着帯。